(57)【要約】【課題】  河川や池や港湾等の護岸用擁壁は、前面（水側に対面する面）が平坦であるため、岸壁付近で落水したときには、該擁壁前面に落水者が手指を掛ける部分がなく（掴まる部分がなく）、溺れる危険性が高くなるという問題があった。【解決手段】  コンクリート成型品からなる護岸用擁壁ブロックにおいて、擁壁ブロック２の前面１１に落水者が手指を掛け得る凹入部１２を形成して、岸壁付近に落水したときに、落水者が凹入部１２に手指を掛けて擁壁前面に掴まり得るようにしている。【選択図】      図１
2006125103.tif 000002
【特許請求の範囲】
【請求項１】
コンクリート成型品からなる護岸用擁壁ブロックであって、擁壁ブロック（２）の前面（１１）に、落水者が手指を掛け得る凹入部（１２）を形成していることを特徴とする護岸用擁壁ブロック。
【請求項２】
請求項１において、凹入部（１２）は、手指とともに足先を掛け得る大きさに形成していることを特徴とする護岸用擁壁ブロック。
【請求項３】
コンクリート成型品からなる複数個の擁壁ブロック（２，２・・）を上下・左右に組付けて構築した護岸用擁壁であって、一部又は全部の擁壁ブロック（２，２・・）の前面（１１）に、落水者が手指を掛け得る凹入部（１２）を形成していることを特徴とする護岸用擁壁。
【請求項４】
護岸場所において生コンクリートを現場打ちして構築した護岸用擁壁であって、現場打ちしたコンクリート躯体（４）の前面（１１Ａ）の複数箇所に、落水者が手指を掛け得る凹入部（１２，１２・・）を形成していることを特徴とする護岸用擁壁。
【請求項５】
請求項３又は４において、凹入部（１２）は手指とともに足先を掛け得る大きさに形成しているとともに、複数個の凹入部（１２，１２・・）を上下に階段状に配列させていることを特徴とする護岸用擁壁。
【発明の詳細な説明】
【技術分野】
【０００１】
本願発明は、河川、池、道路沿いの海岸、港湾等の岸壁や、大型水路の壁面などの擁壁用として用いられる護岸用擁壁ブロック、及び護岸用擁壁に関するものである。
【背景技術】
【０００２】
河川、池、道路沿いの海岸、港湾等の岸壁には、護岸用擁壁が構築されているが、この種の護岸用擁壁は、一般に、多数個の擁壁ブロックを上下・左右に組付けて構築したり、あるいは生コンクリートを現場打ちして構築したりしている。
【０００３】
擁壁ブロックを使用した護岸用擁壁の構築例として、例えば図２２に示すものがあるが、この図２２の擁壁構築例では、擁壁ブロック５２として間知ブロックを使用し、多数個の間知ブロック５２，５２・・を所定勾配を設けた状態で上下・左右に組付けて護岸用擁壁５１を構築している。尚、間知ブロック５２を使用した擁壁としては、例えば特許文献１（特開２００２−１９４７２７号公報）に示すものがある。
【０００４】
この種（図２２）の間知ブロック５２は、前面５３がほとんど平坦面であり、この間知ブロック５２を使用して構築した擁壁５１では、擁壁表面（水Ｗ側に対面する面）の全面がほとんど平坦面（人の手指を掛け得る凹凸はない）となっている。尚、間知ブロック５２では、前面５３に意匠面で若干の凹み部分を設けたり、表面に自然石に似せた小凹凸模様を設けたものがあるが、これらの表面凹凸模様は美観用のためのものであり、人の手指や足先を掛け得るものではない。
【０００５】
又、港湾等の護岸用擁壁として、例えば図２３に示すものがあるが、この護岸用擁壁６１は、コンクリートブロック体を積み重ねたり、生コンクリートを現場打ちしたりして、コンクリート躯体６２を構築しているが、このコンクリート躯体６２の前面６３（水Ｗ側に対面する面）は鉛直面となっている。この護岸用擁壁６１も、コンクリート躯体６２の前面６３は平坦面となっている。
【０００６】
【特許文献１】特開２００２−１９４７２７号公報
【発明の開示】
【発明が解決しようとする課題】
【０００７】
ところで、河川や池や港湾等においては、それらの岸壁から人が落水する事故が起こり得るが、図２２に示す護岸用擁壁５１や図２３に示す護岸用擁壁６１等では、各擁壁の前面５３，６３が平坦面であるので、落水者が擁壁前面に掴まることができず、泳げない人は溺死の危険が高くなり、泳げる人でも時間の経過とともに危険が増すという問題があった。特に、強風時には波が高く、河川の増水時には水流が速いので、落水者は一刻を争う状況であるが、護岸用擁壁に掴まるものがなければ、生命の危険性が一層高くなる。又、地上にいる人が落水者を見つけて救助に行くときでも、擁壁前面が平坦であると壁面を降りて行きにくい。
【０００８】
尚、例えば図２３に示す港湾等の護岸用擁壁６１には、稀に手摺棒を階段状に取付けているものが見受けられるが、この手摺棒の設置箇所は昇降に必要なごく限られた場所しかなく、不特定場所での落水事故に対する救命用とはなりにくい。又、この種の手摺棒は、擁壁前面から水中に向けて突出しているので、該手摺棒にゴミ等が絡まり易く、美観を損ねるとともに掃除が大変であり、さらに擁壁前面から突出していると、落水者が該突出部（手摺棒）に不用意に衝突する（怪我をする）危険がある。
【０００９】
本願発明は、上記した従来の護岸用擁壁の問題点（落水者が擁壁前面に掴まれないという問題点）に鑑み、簡易な構成で落水者の救命に役立ち得る護岸用擁壁ブロック及び護岸用擁壁を提供することを目的としている。
【課題を解決するための手段】
【００１０】
本願発明は、上記課題を解決するための手段として次の構成を有している。
【００１１】
本願請求項１の発明
本願請求項１の発明は、河川や池や港湾等に使用される護岸用擁壁ブロックを対象にしている。この種の護岸用擁壁ブロックは、コンクリート成型品からなるもので、間知ブロックや、直方体形状の大型ブロック（中空のものや中実のものがある）や、Ｌ型（又は逆Ｔ型）ブロックや、重力式擁壁として使用される片面傾斜形の大型ブロックや、特殊なものとして大型水路用のＵ型ブロック等が採用可能である。
【００１２】
そして、この請求項１の護岸用擁壁ブロックは、擁壁ブロックの前面に、落水者が手指を掛け得る凹入部を形成していることを特徴としている。この凹入部は、落水者が手指を掛けて身体をそこに維持できる程度の大きさを有しているが、手指を掛けられるものであれば横向きの凹入部でも縦向きの凹入部でもよく、さらに１個の擁壁ブロックの前面に横向きの凹入部と縦向きの凹入部を併用してもよい。尚、縦向き凹入部あるいは横向き凹入部は、擁壁ブロック１１の上下高さ又は左右幅の全長に引き通したものでもよい。又、擁壁ブロックが大型（前面が大面積）の場合は、１つの擁壁ブロックの前面に複数個の凹入部を上下又は／及び左右に分散して形成することができる。
【００１３】
この請求項１の擁壁ブロックは、複数個を上下・左右に組付けて護岸用擁壁を構築するのに使用されるが、この擁壁ブロックで構築された護岸用擁壁には、各擁壁ブロックの前面に手指を掛け得る凹入部が形成されているので、人が岸壁（擁壁）近くに落水したときに、落水者が該凹入部に手指を掛けることができる。
【００１４】
本願請求項２の発明
本願請求項２の発明は、上記請求項１の護岸用擁壁ブロックにおいて、凹入部を手指とともに足先を掛け得る大きさに形成している。
【００１５】
この場合の凹入部は、足先を差込み得るものであれば適宜の大きさでよいが、水面下では凹入部が見えないので、適宜高さを有する横長のものが好ましい。例えば、該凹入部の大きさとして、特に限定するものではないが、高さが５０〜１００mm、横幅が１００〜３００mm、奥行き深さが１００〜１５０mm程度のものが好ましい。又、この凹入部は、擁壁ブロック前面の左右方向の全幅に引き通したものでもよい。
【００１６】
この請求項２の擁壁ブロックで構築した護岸用擁壁では、各擁壁ブロックの凹入部に手指とともに足先も掛けることができ、且つ上下に積み重ねられた各擁壁ブロックの凹入部が順次階段状に連続していると、落水者が順次各段の凹入部に手指及び足先を掛けて攀じ登ることができる。又、地上にいる人が落水者を見つけて救助に行くときでも、擁壁前面に階段状の凹入部があると、容易に壁面を降りて行ける。
【００１７】
本願請求項３の発明
本願請求項３の発明は、コンクリート成型品からなる多数個の擁壁ブロックを上下・左右に組付けて構築した護岸用擁壁を対象にしている。
【００１８】
そして、この請求項３の護岸用擁壁では、一部又は全部の擁壁ブロックの前面に、落水者が手指を掛け得る凹入部を形成している。即ち、この請求項３の護岸用擁壁では、擁壁ブロックの一部又は全部に上記請求項１の凹入部付きの護岸用擁壁ブロックを使用するが、凹入部付きの護岸用擁壁ブロックを護岸用擁壁の一部に使用する場合は、同一場所の上下に積み重ねられる各擁壁ブロックにそれぞれ凹入部付きのものを使用するとよい。又、その場合、少なくとも擁壁長さ方向に２〜１０ｍ間隔ごとに１箇所は、凹入部付き擁壁ブロック群を配置することが好ましい。
【００１９】
本願請求項４の発明
本願請求項４の発明は、護岸場所において生コンクリートを現場打ちして構築した護岸用擁壁を対象にしている。
【００２０】
そして、この請求項４の護岸用擁壁では、現場打ちしたコンクリート躯体の前面の複数箇所に、落水者が手指を掛け得る凹入部を形成している。
【００２１】
この請求項４の場合は、護岸用擁壁を現場打ち（型枠内に生コンクリートを打設）によって構築する関係で、水側の枠板の内面に予め凹入部成型用の突起物を取付けておくことで、型枠解体後にコンクリート躯体の前面に各凹入部を形成することができる。
【００２２】
本願請求項５の発明
本願請求項５の発明は、上記請求項３又は４の護岸用擁壁において、凹入部は手指とともに足先を掛け得る大きさに形成しているとともに、複数個の凹入部を上下に階段状に配列させている。
【００２３】
この請求項５の護岸用擁壁では、擁壁前面に複数個の凹入部を階段状に配列させているので、上記請求項２の護岸用擁壁ブロックを使用した護岸用擁壁のように、落水者が順次各段の凹入部に手指及び足先を掛けて攀じ登ることができる。
【発明の効果】
【００２４】
本願請求項１の発明の効果
本願請求項１の発明の護岸用擁壁ブロックは、その前面に手指を掛け得る凹入部を形成しているので、この擁壁ブロックで構築された護岸用擁壁には、各擁壁ブロックの前面に手指を掛け得る凹入部が形成される。そして、人が岸壁（擁壁）近くに落水したときに、落水者が該凹入部に手指を掛けることができるので、護岸用擁壁の壁面にしがみついて身体を維持させることができる（身体が水没するのを防止できる）。
【００２５】
従って、この請求項１の護岸用擁壁ブロックでは、ブロック前面の凹入部が救命用として機能するという効果がある。又、この手指掛け用の凹入部は、ブロック前面より凹んでいる（突出していない）ので、水中のゴミ等が引っ掛かりにくい（美観が悪くならない）とともに、突起物のように落水者が衝突することがないので安全面でも効果がある。
【００２６】
本願請求項２の発明の効果
本願請求項２の発明は、上記請求項１の護岸用擁壁ブロックにおいて、凹入部を手指とともに足先を掛け得る大きさに形成している。そして、この請求項２の擁壁ブロックで構築した護岸用擁壁では、上下に積み重ねられた各擁壁ブロックの凹入部が順次階段状に連続する。
【００２７】
従って、この請求項２の護岸用擁壁ブロックでは、上記請求項１の効果に加えて、落水者が順次各段の凹入部に手指及び足先を掛けて攀じ登ることができ、落水者自身が自力で地上まで這い上がることができるという効果がある。又、地上にいる人が落水者を見つけた場合も、階段状の凹入部に手足を掛けて降りて行くことができるという効果もある。
【００２８】
本願請求項３の発明の効果
本願請求項３の発明は、コンクリート成型品からなる多数個の擁壁ブロックを上下・左右に組付けて構築した護岸用擁壁において、一部又は全部の擁壁ブロックの前面に、落水者が手指を掛け得る凹入部を形成している。そして、この護岸用擁壁では、落水者が擁壁ブロックの凹入部に手指を掛けることで護岸用擁壁の壁面にしがみついて身体を維持させることができる（身体が水没するのを防止できる）。
【００２９】
従って、この請求項３の護岸用擁壁では、上記請求項１の効果と同様に、ブロック前面の凹入部が救命用として機能するという効果があるほか、該凹入部がブロック前面より凹んでいる（突出していない）ので、水中のゴミ等が引っ掛かりにくい（美観が悪くならない）とともに、突起物のように落水者が衝突することがないので安全面でも効果がある。
【００３０】
本願請求項４の発明の効果
本願請求項４の発明は、護岸場所において生コンクリートを現場打ちして構築した護岸用擁壁において、現場打ちしたコンクリート躯体の前面の複数箇所に、落水者が手指を掛け得る凹入部を形成している。
【００３１】
この請求項４の護岸用擁壁でも、落水者がコンクリート躯体前面の凹入部に手指を掛けることができるので、上記請求項３と同様に、凹入部が救命用として機能し、さらに該凹入部がブロック前面より凹んでいる（突出していない）ので、水中のゴミ等が引っ掛かりにくい（美観が悪くならない）とともに、突起物のように落水者が衝突することがないので安全面でも効果がある。
【００３２】
本願請求項５の発明の効果
本願請求項５の発明は、上記請求項３又は４の護岸用擁壁において、凹入部は手指とともに足先を掛け得る大きさに形成しているとともに、複数個の凹入部を上下に階段状に配列させている。
【００３３】
従って、この請求項５の護岸用擁壁では、上記請求項３又は４の効果に加えて、落水者が順次各段の凹入部に手指及び足先を掛けて攀じ登ることができるので、落水者自身が自力で地上まで這い上がることができるという効果がある。
【実施例】
【００３４】
図１〜図２１を参照して、本願実施例の護岸用擁壁ブロック又は護岸用擁壁を説明すると、図１〜図４には第１実施例の護岸用擁壁ブロック及びその使用例を示し、図５〜図９にはそれぞれ図１の護岸用擁壁ブロックの変形例（第２〜第６実施例）を示し、図１０〜図１１には第１実施例の護岸用擁壁ブロックの変形例（第７実施例）を示し、図１２には第１実施例の護岸用擁壁ブロックの変形例（第８実施例）を示し、図１３〜図１４には第９実施例の護岸用擁壁ブロックを示し、図１５〜図１７にはそれぞれ第１０〜第１２実施例の護岸用擁壁ブロックを示し、図１８〜図１９には第１３実施例の護岸用擁壁を示し、図２０〜図２１には第１３実施例の護岸用擁壁の変形例（第１４実施例）を示している。尚、各実施例の護岸用擁壁ブロック又は護岸用擁壁は、主として河川や池や港湾等の護岸用に用いられるものであるが、特殊の用途として図１７に示すように大型水路として使用する場合もある。
以下、順次各実施例について説明する。
【００３５】
図１〜図４の第１実施例
図１には、第１実施例の護岸用擁壁ブロック２として、間知ブロックが示されている。この間知ブロック２は、コンクリート成型品で前面１１が矩形の形状に成形されている。尚、この種の間知ブロック２の前面１１の大きさは、左右幅が４２０mm、上下幅が２８０mm程度のものが一般的であるが、これらの寸法は特に限定するものではない。
【００３６】
この間知ブロック２の前面１１には、手指や足先等を掛けることができる横長の凹入部１２が形成されている。この第１実施例の間知ブロック２の凹入部１２は、横向き長方形の形状で、高さが７０〜８０mm、横幅が１６０〜１７０mm、奥行き深さが１１０〜１２０mm程度の大きさに設定している。尚、これらの寸法は特に限定するものではなく、手指や足先等を容易に掛けることができる大きさであればよい。
【００３７】
そして、図１の間知ブロック２は、図２及び図３に示すように、複数個を上下・左右に組付けて護岸用擁壁１を構築する。尚、この第１実施例の構築例では、上下の間知ブロック２，２・・を横幅方向に１／２だけずらせた状態で積み上げて護岸用擁壁１を構成している。又、構築した護岸用擁壁１の上部前面寄り位置には、擁壁長さ方向の所々に手掛け用の持ち手３（この第１実施例では手摺棒）を設けている。尚、この擁壁構築状態では、各間知ブロック２，２・・の前面１１が水Ｗ（例えば河川水、池水、海水等）側に対面している。
【００３８】
図２及び図３の護岸用擁壁１では、各間知ブロック２，２・・の全部にそれぞれ凹入部１２が形成されているので、各凹入部１２，１２・・が上下方向に千鳥状の階段状に形成されている。又、図２及び図３の護岸用擁壁１では、上下斜め方向に隣接する２つの凹入部１２，１２において、各凹入部の中心部の高さ間隔が２８０mmとなり（間知ブロック２の高さと同じ）、同じく各凹入部の中心部の左右間隔が２１０mm（間知ブロック２の左右幅の半分）となっている。
【００３９】
そして、この護岸用擁壁１では、もし岸壁付近で人が落水したときに、落水者が近くにある凹入部１２に手指を容易に掛けることができ（擁壁前面に掴まり得る）、続いて順次各段の凹入部１２，１２・・に手指及び足先を掛けて護岸用擁壁１を攀じ登ることができる。従って、この第１実施例（図２及び図３）の護岸用擁壁１によれば、各間知ブロック２の前面１１の凹入部１２が救命用として機能する。又、地上にいる人が落水者を見つけて救助に行くときに、擁壁前面の階段状凹入部１２，１２・・に手足を掛けながら降りて行くことができる。さらに、各凹入部１２，１２・・は護岸用擁壁１の前面より凹んでいる（突出していない）ので、水中のゴミ等が引っ掛かりにくい（美観が悪くならない）とともに、突起物のように落水者が衝突する危険が少ないという利点もある。
【００４０】
図４に示す護岸用擁壁１の構築例では、図１の凹入部１２付き間知ブロック２と、通常の（前面に凹入部のない）間知ブロック２Ａとを組み合わせて構成している。この場合、擁壁長さ方向に適宜間隔Ｌ（例えば２〜１０ｍ間隔）ごとに凹入部１２付き間知ブロック２，２・・群を階段状に配置するとよい。又、図４の構築例では、擁壁高さ方向の適宜高さ位置（図示例では２箇所）に凹入部１２付きの間知ブロック２，２・・を横方向に連続させている。この図４の護岸用擁壁１では、岸壁付近に落水したときに、擁壁前面に沿って少し移動すれば階段状の凹入部１２，１２・・群を形成した位置に到達できる。
【００４１】
図５〜図９の第２〜第６実施例
図５〜図９には、それぞれ図１の護岸用間知ブロック２における凹入部１２部分の変形例を示しているが、第２〜第６実施例の各凹入部１２部分の構造は、落水者が凹入部１２部分に容易に手指を掛け得るようにしたものである。尚、図５〜図９において、（Ａ）は間知ブロック２を前面１１側から見た正面図、（Ｂ）は（Ａ）のＢ−Ｂ断面図である。
【００４２】
図５の第２実施例の護岸用間知ブロック２では、凹入部１２の底面前端部に手掛け用の上向き突起部１５を設け、該上向き突起部１５に手指を掛け易くしている。
【００４３】
図６の第２実施例の護岸用間知ブロック２では、凹入部１２の入口付近の下部寄り位置に凹入部１２の全幅に亘って横向きの手摺棒１６を設け、該手摺棒１６を手指で握ることができるようにしている。この場合は、手摺棒１６の上に足先を掛けることができる。
【００４４】
図７の第４実施例の護岸用間知ブロック２では、凹入部１２の入口付近の幅方向中央位置に全高に亘って縦向きの手摺棒１７を設け、該手摺棒１７を手指で握ることができるようにしている。この場合は、手摺棒１７の左右空間部に足先を掛けることができる。
【００４５】
図８の第５実施例の護岸用間知ブロック２では、凹入部１２の入口付近の幅方向中央位置に縦向きの手摺棒１８の下部側のみを埋設し、該手摺棒１８を手指で握ることができるようにしている。この場合も、手摺棒１７の左右空間部に足先を掛けることができる。
【００４６】
図９の第６実施例の護岸用間知ブロック２では、凹入部１２に色付き（例えば黄色）のケース１９（例えばプラスチック製）を埋め込んで、該ケース１９内を凹入空間としている。この場合、色付きのケース１９が凹入部１２の場所を示す標識となり、落水者が凹入部１２を見つけ易くなる。
【００４７】
図１０〜図１１の第７実施例
図１０に示す第７実施例の護岸用間知ブロック２は、図１１に示すように各間知ブロック２，２・・を角度４５°傾斜させた状態で積み上げる谷積み擁壁に使用されるものである。この第７実施例で使用される間知ブロック２は、谷積み（角度４５°傾斜状態で積み上げる）される関係で、間知ブロック前面１１に形成される凹入部１２を角度４５°傾斜させた状態で形成している。
【００４８】
そして、この間知ブロック２は、図１１に示すように谷積みすると、各凹入部１２が横向き姿勢（水平姿勢）になり、落水者の手指又は／及び足先が掛け易くなる。尚、図１１の護岸用擁壁１において、上部及び下部には異形ブロック２′，２′・・が配置されるが、この各異形ブロック２′の前面にも横向きの凹入部１２を形成している。
【００４９】
図１２の第８実施例
図１２の第８実施例の護岸用間知ブロック２では、前面１１に横向き凹入部１２と縦向き凹入部１３とを１つずつ形成しているが、縦向き凹入部１３は、次のような機能がある。即ち、河川のように流れのある場所に落水した場合には、落水者が護岸用擁壁に沿って流されるが、そのとき、凹入部が縦向きに形成されている（縦向き凹入部１３）と、そこに手指が掛り易くなるという機能が生じる。
【００５０】
図１３〜図１４の第９実施例
図１３に示す第９実施例の護岸用擁壁ブロック２は、大型の箱型ブロックが採用されている。この種の大型の箱型ブロック２は、一般に高さが５０〜１００cm、左右幅が１００〜２００cm程度の前面面積を有している。尚、図１３の箱型ブロック２は、高さが１００cm、左右幅が２００cmのものを想定している。そして、この箱型ブロック２の前面１１には、中央部に１つの縦向き凹入部１３と、その左右両側にそれぞれ上下に千鳥状に配置した短小な３つの横向き凹入部１２，１２，１２と、上端付近に幅方向全長に引き通した長尺の横向き凹入部１４とを形成している。尚、箱型ブロック２の高さが５０cm程度のものであれば、左右の横向き凹入部１２，１２は、上下に１つずつ（あるいは２つずつ）でもよい。
【００５１】
この図１３の箱型ブロック２は、複数個を上下・左右に組付けて図１４に示す護岸用擁壁１を構築する。そして、この護岸用擁壁１では、各箱型ブロック２，２・・の各段に左右方向に連続して引き通された長尺の横向き凹入部１４，１４・・があるので、落水者が容易に手指を掛けて掴まることができるとともに、一連の横向き凹入部１４，１４・・を伝って横移動できる。又、落水者が擁壁に沿って流されたときでも、縦向き凹入部１３に手指が掛り易くなり、さらに何れかの凹入部１２，１３，１４に掴まった後、階段状の各凹入部１２，１２・・に順次手指及び足先を掛けて攀じ登ることができる。
【００５２】
図１５の第１０実施例
図１５に示す第１０実施例の護岸用擁壁ブロック２は、Ｌ型ブロックを採用している。この種のＬ型ブロック２は、用途に応じて１〜５ｍ程度の高さのものが形成されるが、図１５のものは、３ｍ程度の高さのものを想定している。そして、このＬ型ブロック２の前面１１には、中央部に長尺で１本の縦向き凹入部１３と、その左右両側にそれぞれ上下に２０〜３０cm程度の間隔をもって複数本ずつの横向き凹入部１２，１２・・を形成している。又、このＬ型ブロック２の上面には、落水者が擁壁上部まで攀じ登ったときに手指をかける凹溝状の指掛部３Ａを形成している。尚、この第１０実施例では、各横向き凹入部１２，１２・・は、３０〜５０cm程度の横長に形成している。
【００５３】
この図１５のＬ型ブロック２も、護岸用擁壁ブロックとして使用され、各凹入部１２，１３が上記各実施例と同様の救命機能を発揮する。
【００５４】
図１６の第１１実施例
図１６の第１１実施例の護岸用擁壁ブロック２は、重力式擁壁として使用されるものであり、一面（この実施例では前面１１）が傾斜した複数個（図示例では４個）の擁壁ブロック２，２・・を積み重ねて所定高さの護岸用擁壁を構築し得るものである。この種の重力式擁壁では、前面又は背面の一方（図示例では前面１１）が傾斜する関係で、図示例の各擁壁ブロック２，２・・では、下部側のものほど奥行き長さが長くなっている。尚、図示例の各擁壁ブロック２，２・・は、内部が中空の箱型に形成されており、該各擁壁ブロック２の内部には、土壌等が充填されて重力式擁壁となる。
【００５５】
この各擁壁ブロック２，２・・の前面１１には、それぞれ中央部に１本の縦向き凹入部１３と、その左右両側にそれぞれ上下に２０〜３０cm程度の間隔をもって複数本（３本）ずつの横向き凹入部１２，１２・・を形成している。そして、各擁壁ブロック・・を上下に積み重ねて、護岸用擁壁を構築する。尚、この場合、凹入部１２，１３を形成している面が前面１１になる。この第１６実施例の場合も、各凹入部１２，１３が上記各実施例と同様に救命機能を発揮する。
【００５６】
図１７の第１２実施例
図１７に示す第１２実施例の護岸用擁壁ブロック２は、大型水路用のＵ型ブロックが採用されている。このＵ型ブロック２では、両側壁２ａ，２ａが擁壁として機能し、該両側壁２ａ，２ａの内側が流水路となる。尚、この種の水路用のＵ型ブロック２は、水路高さ（側壁２ａの高さ）が３〜５ｍ程度の大型のものがあり、水路Ｗ中に落水すると容易に這い上がれない構造となっている。
【００５７】
この第１２実施例Ｕ型ブロック２では、各側壁２ａ，２ａのそれぞれ内面に、上下に所定間隔（例えば２０〜３０cm間隔）をもって複数の横向き凹入部１２，１２・・を形成している。又、この各側壁２ａ，２ａの内面には、必要に応じて、水路方向に所定間隔をもって縦向き凹入部１３，１３を形成してもよい。
【００５８】
このように、水路内面に各凹入部１２，１３を形成していると、該各凹入部１２，１３等に落水者の手指又は足先を掛けることができ、上記各実施例と同様の機能を発揮する。
【００５９】
図１８〜図１９の第１３実施例
図１８〜図１９の第１３実施例は、生コンクリートを現場打ちして護岸用擁壁１Ａを構築する例を示している。この現場打ち護岸用擁壁１Ａ（図１９）は、図１８に示すように、護岸用擁壁の構築場所において、前後の枠板２２，２３を有する型枠２１を組立て、該型枠２１内に生コンクリートＣを打設して構築されるが、構築されるコンクリート躯体４（図１９）の前面１１Ａを形成する前側枠板２２の内面には、予め凹入部形成用の突起物２４，２４・・（図１８）を上下に所定間隔（例えば２０〜３０cm間隔）をもって取付けておく。尚、この突起物２４は、横向き凹入部１２用のもののほかに、縦向き凹入部のものも取付けておくことができる。
【００６０】
そして、図１８に示すように、組立てた型枠２１内に生コンクリートＣを打設し、該生コンクリートＣが固化した後、型枠２１を解体すると、図１９に示すコンクリート躯体４が構築される。このコンクリート躯体４の前面１１Ａには、落水者の手指及び足先を掛け得る凹入部１２，１２・・が形成されており、該各凹入部１２，１２・・が上記各実施例と同様に落水者の救命機能を発揮する。
【００６１】
図２０〜図２１の第１４実施例
この第１４実施例は、上記図１８〜図１９の第１３実施例の変形例を示すもので、図２０に示すように、前側枠板２２の内面に取付られる凹入部形成用の突起物として、内部が中空で色付き（例えば黄色）のケース体２５（例えばプラスチック製）を使用し、該各ケース体２５を前側枠板２２の内面に容易に分離し得る程度に仮止めしておく。そして、型枠２１内に生コンクリートＣを打設し、その生コンクリートＣが固化した後、図２１に示すように各ケース体２５をコンクリート躯体４の前面１１Ａに残した状態で両枠板２２，２３を解体させる。この場合、各ケース体２５の外面はコンクリート躯体４に強固に固着されている。
【００６２】
そして、図２１の現場打ち護岸用擁壁１Ａでは、各ケース体２５内の空所が落水者の手指及び足先を掛け得る凹入部１２となるとともに、該各ケース体２５の色（例えば黄色）が凹入部１２の形成場所としての表示機能を果たすようになる。
【００６３】
尚、この図２１の護岸用擁壁１Ａの各凹入部１２も、上記第１３実施例（図１９）のものと同様に落水者の救命機能を発揮する。
【図面の簡単な説明】
【００６４】
【図１】本願第１実施例の護岸用擁壁ブロック（間知ブロック）の斜視図である。
【図２】図１の間知ブロックを使用した護岸用擁壁の正面図である。
【図３】図２の護岸用擁壁のIII−III断面図である。
【図４】図１の間知ブロックと通常の間知ブロックを組み合わせて構築した護岸用擁壁の正面図である。
【図５】図１の変形例（第２実施例）の間知ブロックで、（Ａ）はその正面図、（Ｂ）は（Ａ）のＢ−Ｂ断面図である。
【図６】図１の変形例（第３実施例）の間知ブロックで、（Ａ）はその正面図、（Ｂ）は（Ａ）のＢ−Ｂ断面図である。
【図７】図１の変形例（第４実施例）の間知ブロックで、（Ａ）はその正面図、（Ｂ）は（Ａ）のＢ−Ｂ断面図である。
【図８】図１の変形例（第５実施例）の間知ブロックで、（Ａ）はその正面図、（Ｂ）は（Ａ）のＢ−Ｂ断面図である。
【図９】図１の変形例（第６実施例）の間知ブロックで、（Ａ）はその正面図、（Ｂ）は（Ａ）のＢ−Ｂ断面図である。
【図１０】図１の変形例（第７実施例）の間知ブロックの斜視図である。
【図１１】図１０の間知ブロックを使用した護岸用擁壁の正面図である。
【図１２】図１の変形例（第８実施例）の間知ブロックの斜視図である。
【図１３】本願第９実施例の護岸用擁壁ブロック（箱型ブロック）の斜視図である。
【図１４】図１３の箱型ブロックを使用した護岸用擁壁の正面図である。
【図１５】本願第１０実施例の護岸用擁壁ブロック（Ｌ型ブロック）の斜視図である。
【図１６】本願第１１実施例の護岸用擁壁ブロック（重力式擁壁ブロック）の斜視図である。
【図１７】本願第１２実施例の護岸用擁壁ブロック（大型水路用Ｕ型ブロック）の断面図である。
【図１８】本願第１３実施例の護岸用擁壁を構築するための型枠組立構造の断面図である。
【図１９】図１８の型枠組立構造で構築した護岸用擁壁の断面図である。
【図２０】図１８の変形例（第１４実施例）の型枠組立構造の一部断面図である。
【図２１】図２０の型枠組立構造で構築した護岸用擁壁の一部断面図である。
【図２２】第１従来例の護岸用擁壁の断面図である。
【図２３】第２従来例の護岸用擁壁の断面図である。
【符号の説明】
【００６５】
１，１Ａは護岸用擁壁、２は護岸用擁壁ブロック（間知ブロック、箱型ブロック、Ｌ型ブロック、重力式擁壁ブロック、水路用Ｕ型ブロック等）、４はコンクリート躯体、１１は擁壁ブロックの前面、１１Ａはコンクリート躯体の前面、１２は凹入部（横向き凹入部）、１３は縦向き凹入部、２１は型枠である。
【図１】
2006125103.tif 000003
【図２】
2006125103.tif 000004
【図３】
2006125103.tif 000005
【図４】
2006125103.tif 000006
【図５】
2006125103.tif 000007
【図６】
2006125103.tif 000008
【図７】
2006125103.tif 000009
【図８】
2006125103.tif 000010
【図９】
2006125103.tif 000011
【図１０】
2006125103.tif 000012
【図１１】
2006125103.tif 000013
【図１２】
2006125103.tif 000014
【図１３】
2006125103.tif 000015
【図１４】
2006125103.tif 000016
【図１５】
2006125103.tif 000017
【図１６】
2006125103.tif 000018
【図１７】
2006125103.tif 000019
【図１８】
2006125103.tif 000020
【図１９】
2006125103.tif 000021
【図２０】
2006125103.tif 000022
【図２１】
2006125103.tif 000023
【図２２】
2006125103.tif 000024
【図２３】
2006125103.tif 000025